(57)【要約】【課題】  用紙を落下させることなく確実且つ安定してスタックできるとともに、用紙先端の整合をばらつき無く確実に行なうことができる用紙スタック装置の提供を目的としている。【解決手段】  本発明は、用紙排出手段により排出された用紙をスタックする用紙トレイ６を備え、用紙トレイ６の底板２の傾斜にしたがって用紙をストッパ・エンドフェンス３に向って移動させて用紙の先端を整合させる用紙スタック装置において、用紙トレイ６に既にスタックされている前用紙の後端に対して、用紙トレイ６へと送られてくる次用紙の先端が当たらないように、前記前用紙の後端を用紙トレイ６上に落し込む段差６ａが、用紙トレイ６に形成されていることを特徴とする。【選択図】図２
2005082389.tif 000002
【特許請求の範囲】
【請求項１】
用紙排出手段により排出された用紙をスタックする用紙トレイを備え、前記用紙トレイの底板の傾斜にしたがって用紙をストッパ・エンドフェンスに向って移動させて用紙の先端を整合させる用紙スタック装置において、
前記用紙トレイに既にスタックされている前用紙の後端に対して、用紙トレイへと送られてくる次用紙の先端が当たらないように、前記前用紙の後端を用紙トレイ上に落し込む段差が、前記用紙トレイに形成されていることを特徴とする用紙スタック装置。
【請求項２】
前記ストッパ・エンドフェンスは、前記用紙トレイの幅方向の中心軸に対して均等に配置され、前記用紙トレイへと排出される用紙の先端と均等に当接する当接面を有していることを特徴とする請求項１に記載の用紙スタック装置。
【請求項３】
前記ストッパ・エンドフェンスは、マグネットにより前記用紙トレイの底板に固定されていることを特徴とする請求項１または請求項２に記載の用紙スタック装置。
【発明の詳細な説明】
【技術分野】
【０００１】
本発明は、複写機、プリンタ、ファクシミリ、または、それらの複合機等の画像形成装置に設置される用紙スタック装置に係わり、特に小サイズから大サイズに至るまで種々のサイズの転写紙を扱う広幅紙対応型の用紙スタック装置に関する。
【背景技術】
【０００２】
画像形成装置に設置される用紙排出トレイとして、画像形成装置本体の記録紙排出部に設けられ、排出ローラを介して排出される記録紙を底板の傾斜にしたがってエンドプレートに向けて移動させて紙揃えを行なうトレイが知られている（例えば、特許文献１参照）。
【０００３】
前記用紙排出トレイは、エンドプレートの中央部よりも一方の側に偏った位置に、複数の凸部を外側から中心部に向けて順次低くなるように段状に形成した凸状ブロックを設け、この凸状ブロックに用紙の端部を当接させることによって、この用紙をトレイの一方の側に傾斜させた状態で堆積させ得るように構成してなる。
【０００４】
したがって、前記排出トレイにおいては、エンドプレートに対して凸状ブロックを取り付けるのみで、画像形成装置本体から排出ローラを介して排出される記録紙等を、一方の側部に沿わせるように傾けて収容することができる。そして、前記排出トレイによると、記録紙の紙揃えの作用を容易に行なうことができるとともに、オペレータが紙の取り出しを行なう側に記録紙を揃えることができるので、この記録紙の後処理が容易に行ない得るものとなる。
【０００５】
【特許文献１】実公平７−１６６７５号公報
【発明の開示】
【発明が解決しようとする課題】
【０００６】
ところで、用紙を排出する用紙排出手段と、この用紙排出手段により排出された用紙をスタックする用紙トレイとを備え、前記用紙トレイの底板の傾斜にしたがって用紙をエンドプレート（ストッパ・エンドフェンス）に向って移動して用紙の先端を整合させる用紙スタック装置において、Ａ１Ｙサイズの用紙は、Ａ０Ｔ、Ａ１Ｔサイズの用紙に比べ、用紙長さが短いため、用紙後端の位置が、用紙搬送路上に残ってしまう。そのため、次用紙の先端が前記用紙後端に当たり、用紙のスタック装置外への後方落下や、用紙順狂い等の用紙スタック不具合が発生することがある。
【０００７】
また、ストッパ・エンドフェンスは中央部のみに配置されているため、用紙先端整合時の衝撃や振動等により、Ａ１ＹやＡ０Ｔの横幅大の用紙は、用紙先端が斜めになり易く、用紙先端の飛び出しや床付着、用紙後端が搬送路を塞ぐ等の用紙スタックＮＧが発生することがある。特に、小サイズ時は、スタック装置外へ用紙が前方落下することがある。
【０００８】
また、用紙先端整合時の衝撃や振動等により、ストッパ・エンドフェンスの位置が前側にずれ、上記同様に用紙先端の床付着や、用紙先端がストッパ・エンドフェンスまで届かず、用紙先端整合ができずに用紙後端が搬送路を塞ぐ等の用紙スタックＮＧが発生することがある。
【０００９】
本発明は前記事情に着目してなされたものであり、その目的とするところは、用紙を落下させることなく確実且つ安定してスタックできるとともに、用紙先端の整合をばらつき無く確実に行なうことができる用紙スタック装置を提供することにある。
【課題を解決するための手段】
【００１０】
前記課題を解決するために、請求項１に記載された発明は、用紙排出手段により排出された用紙をスタックする用紙トレイを備え、前記用紙トレイの底板の傾斜にしたがって用紙をストッパ・エンドフェンスに向って移動させて用紙の先端を整合させる用紙スタック装置において、前記用紙トレイに既にスタックされている前用紙の後端に対して、用紙トレイへと送られてくる次用紙の先端が当たらないように、前記前用紙の後端を用紙トレイ上に落し込む段差が、前記用紙トレイに形成されていることを特徴とする。
【００１１】
また、請求項２に記載された発明は、請求項１に記載された発明において、前記ストッパ・エンドフェンスは、前記用紙トレイの幅方向の中心軸に対して均等に配置され、前記用紙トレイへと排出される用紙の先端と均等に当接する当接面を有していることを特徴とする。
【００１２】
また、請求項３に記載された発明は、請求項１または請求項２に記載された発明において、前記ストッパ・エンドフェンスは、マグネットにより前記用紙トレイの底板に固定されていることを特徴とする。
【発明の効果】
【００１３】
請求項１に記載された発明によれば、用紙を落下させることなく確実且つ安定してスタックできるとともに、用紙先端の整合をばらつき無く確実に行なうことができる。特に、Ａ１Ｙサイズ長さ（５９４ｍｍ）の用紙後端を用紙搬送路から無くし、Ａ１Ｙサイズ長さのスタックを可能にできる。一般に、用紙トレイを後方へ延ばして大きくすれば、段差を付けることなく、用紙をスタックすることは可能だが、最大Ａ０Ｔサイズまでのスタックとなると、用紙トレイが大きくなり、小スペース化が困難になる。そのため、請求項１に記載された発明では、Ａ１Ｙサイズ長さの用紙を段差の手前で収納でき、また、前記段差により、次用紙Ａ１Ｙサイズ長さの先端が、スタックされた前用紙Ａ１Ｙサイズ長さの後端に当たらないようにすることができるため、Ａ１Ｙサイズ長さの用紙後端を用紙搬送路から無くし、Ａ１Ｙサイズ長さのスタックを可能にできる。
【００１４】
請求項２に記載された発明によれば、請求項１に記載された発明と同様の効果が得られるとともに、用紙先端の整合ばらつきを抑え、用紙スタックを安定させることができる。また、小サイズ用紙のスタック装置外への前方落下防止もできる。本構成では、特にストッパ・エンドフェンスを、排出される用紙の中央を中心にして均等に配置し、ストッパ・エンドフェンスのストッパ面（当接面）を、Ａ１Ｙサイズ幅（８４１ｍｍ）に対して３０％以上の当接面とすることが好ましい。この場合、用紙先端とストッパ・エンドフェンスとの当接面を全体的にバランス良く増やすことが可能になる。
【００１５】
請求項３に記載された発明によれば、請求項１または請求項２に記載された発明と同様の効果が得られるとともに、用紙先端整合時の衝撃や振動等によるストッパ・エンドフェンスの位置ずれを防止し、用紙先端の整合を確実に行ない、用紙スタックを安定させることができる。一般に、ストッパ・エンドフェンスをネジ等により前記用紙トレイの底板へ固定すれば、マグネットを付けることなくエンドフェンスの位置ずれを防止することができる。しかし、ネジ固定では、ストッパ・エンドフェンスを引き出し自在に構成することができなくなってしまうため、用紙の取り出し性や長尺原稿受けの操作性が悪くなる。本構成のようにストッパ・エンドフェンスをマグネットにより前記用紙トレイの底板に固定すれば、ストッパ・エンドフェンスを引き出し自在に構成することができる。
【発明を実施するための最良の形態】
【００１６】
以下、添付図面を参照しながら、本発明の一実施形態について説明する。
【００１７】
図１に示されるように、画像形成された用紙１０は、排出ローラ対（用紙排出手段）１により、マシン機外へ排出されてマシン後背部に沿って進み、次に、用紙トレイ６のトレイ底板２の傾斜にしたがって、マシン前面にあるストッパ・エンドフェンス３に向かう。トレイ底板２の上に並列に３枚配置しているシート１１の上に固定された重なりであるストッパゴム４により、用紙１０は安定して移動し、ストッパ・エンドフェンス３へ当接して用紙先端の整合が行なわれる。
【００１８】
ストッパ・エンドフェンス３は、内部にセットしたマグネット１２により、トレイ底板２に固定されている。Ａ１Ｙサイズ５の用紙後端は、用紙トレイ６の段差部６ａに入り、Ａ０Ｔサイズ７、Ａ１Ｔサイズ８の用紙後端は、用紙トレイ６によって支持されるので、用紙搬送路に用紙後端が残ることは無く、用紙はスタックされる。用紙トレイ６は、並列に３個配置されている。
【００１９】
ストッパ・エンドフェンス３は、これにセットされている軸１３により、マシン前側へ延ばすことが可能で、一緒に移動してきた用紙を取ることができる。また、長尺原稿９のコピー時は、ストッパ・エンドフェンス３をマシン前側へ延ばし、長尺原稿９を受けることができるので、床付着による汚れ等を防ぐこともできる。
【００２０】
前述したように、用紙トレイ６は、Ａ１Ｙサイズ長さ（５９４ｍｍ）の用紙を段差部６ａの手前で収納できる。段差部６ａは、次用紙Ａ１Ｙサイズ長さの先端が、スタックされた前用紙Ａ１Ｙサイズ長さの後端に当たらないようにする。
【００２１】
また、図３に示されるように、ストッパ・エンドフェンス３は、用紙トレイ６の幅方向の中心軸Ｏに対して均等に配置され、用紙トレイ６へと排出される用紙の先端と均等に当接する当接面３ａを有している。特に、本実施形態において、ストッパ・エンドフェンス３は、排出される用紙の中央を中心にして、均等に配置され、ストッパ・エンドフェンス３のストッパ面（当接面）３ａは、Ａ１Ｙサイズ幅（８４１ｍｍ）に対して、３０％以上の当接面とされている。すなわち、用紙トレイ６の幅方向に沿う当接面３ａの長さの総和のＡ１Ｙサイズ幅に対する割合＝［各当接面３ａの幅方向長さ７０ｍｍ×４箇所（ストッパ面の数）／８４１ｍｍ］×１００＝３３．３％となっている。
【００２２】
このように、本実施形態においては、用紙トレイ６に既にスタックされている前用紙の後端に対して、用紙トレイ６へと送られてくる次用紙の先端が当たらないように、前記前用紙の後端を用紙トレイ６上に落し込む段差部６ａが、前記用紙トレイに形成されている。そのため、特にＡ１Ｙサイズ長さ（５９４ｍｍ）の用紙後端を用紙搬送路から無くし、Ａ１Ｙサイズ長さのスタックを可能にできる。一般に、用紙トレイ６を後方へ延ばして大きくすれば、段差部６ａを付けることなく、用紙をスタックすることは可能だが、最大Ａ０Ｔサイズまでのスタックとなると、用紙トレイ６が大きくなり、小スペース化が困難になる。そのため、本実施形態では、Ａ１Ｙサイズ長さの用紙を段差部６ａの手前で収納でき、また、段差部６ａにより、次用紙Ａ１Ｙサイズ長さの先端が、スタックされた前用紙Ａ１Ｙサイズ長さの後端に当たらないようにすることができるため、Ａ１Ｙサイズ長さの用紙後端を用紙搬送路から無くし、Ａ１Ｙサイズ長さのスタックを可能にできる。
【００２３】
また、本実施形態において、ストッパ・エンドフェンス３は、用紙トレイ６の幅方向の中心軸Ｏに対して均等に配置され、用紙トレイ６へと排出される用紙の先端と均等に当接する当接面３ａを有している。そのため、用紙先端の整合ばらつきを抑え、用紙スタックを安定させることができる。また、小サイズ用紙のスタック装置外への前方落下防止もできる。特に本実施形態では、ストッパ・エンドフェンス３を、排出される用紙の中央を中心にして均等に配置し、ストッパ・エンドフェンス３のストッパ面（当接面）３ａを、Ａ１Ｙサイズ幅（８４１ｍｍ）に対して３０％以上の当接面としている。そのため、用紙先端とストッパ・エンドフェンス３との当接面を全体的にバランス良く増やすことが可能になる。
【００２４】
また、本実施形態において、ストッパ・エンドフェンス３は、マグネット１２により用紙トレイ６の底板２に固定されている。そのため、用紙先端整合時の衝撃や振動等によるストッパ・エンドフェンス３の位置ずれを防止し、用紙先端の整合を確実に行ない、用紙スタックを安定させることができる。一般に、ストッパ・エンドフェンス３をネジ等により用紙トレイ６の底板２へ固定すれば、マグネットを付けることなくエンドフェンス３の位置ずれを防止することができる。しかし、ネジ固定では、ストッパ・エンドフェンス３を引き出し自在に構成することができなくなってしまうため、用紙の取り出し性や長尺原稿受けの操作性が悪くなる。本構成のようにストッパ・エンドフェンス３をマグネット１２により用紙トレイ６の底板２に固定すれば、ストッパ・エンドフェンス３を引き出し自在に構成することができる。
【図面の簡単な説明】
【００２５】
【図１】本発明の一実施形態に係る用紙スタック装置が適用される画像形成装置の概略図である。
【図２】本発明の一実施形態に係る用紙スタック装置の拡大側面図である。
【図３】本発明の一実施形態に係る用紙スタック装置の平面図である。
【図４】本発明の一実施形態に係る用紙スタック装置の先端側の拡大図である。
【符号の説明】
【００２６】
２    底板
３    ストッパ・エンドフェンス
３ａ  当接面
６    用紙トレイ
６ａ  段差部（段差）
１２  マグネット
【図１】
2005082389.tif 000003
【図２】
2005082389.tif 000004
【図３】
2005082389.tif 000005
【図４】
2005082389.tif 000006